(57)【要約】【課題】  室内に柱や構造壁が存在しない状態で、二階建て相当の大きな内部空間を形成でき、二階部分の構成や配置を変更できる、木造建物の構造を提供する。【解決手段】  小屋トラス１７を使用する外箱１０の内部において、土台２３に符合する第１の切欠４０ａを下部に有し、かつ妻側胴差３８の下部まで至らない二階支持柱４０を複数の付加柱３６の一つに接合して上面上に起立させ、妻側胴差３８の下部に符合する第２の切欠４２ａを両端部上方に有する合せ梁４２、４３を複数の付加柱３６の一つ、妻側胴差し３８及び二階支持柱４０の上端部に係合させて架け渡することにより、内箱２０の軸組を形成する。【選択図】  図８
2015098680.tif 000002
【特許請求の範囲】
【請求項１】
基礎の上面の中心線に沿って前記上面より幅が狭い土台を配置し、前記土台上に外箱を形成し、前記外箱内に内箱を形成する木造建物の構造であって、
前記外箱の平側の軸組を、
前記土台の角部でない位置において、前記土台の外側及び内側から前記土台を挟んで前記上面上に内外一対の柱を立て、前記内外一対の柱のうち、前記土台の外側の柱を通し柱で構成し、かつ、前記内外一対の柱のうち、前記土台の内側の柱をダボで継ぎ手した管柱で構成し、
一階と二階との境界レベルにおいて水平な平側胴差を前記内外一対の柱に挟み込んで固定し、
二階の天井レベルにおいて水平な軒桁を前記内外一対の柱に挟み込んで固定し、
前記土台の角部において、前記内外一対の柱と同長の通し柱を外縁部に有すると共に前記通し柱に連結される筋交いを有する第１の耐力壁と、前記第１の耐力壁と同形の第２の耐力壁とで、前記土台、前記平側胴差及び前記軒桁のそれぞれの端部を挟むように固定して構成し、
前記外箱の妻側の軸組を、
前記内外一対の柱とは異なる位置において、前記土台の外側上に妻側胴差に接合される付加柱を立てて構成し、
前記外箱の屋根の軸組を、
前記内外一対の柱の頂部を挟む小屋トラスを前記軒桁上に固定し、
前記小屋トラスと同形の小屋組を前記耐力壁の前記通し柱の端部上に固定して構成し、
前記内箱の軸組を、
前記土台に符合する第１の切欠を下部に有し、かつ前記妻側胴差の下部まで至らない二階支持柱を前記付加柱に接合して前記上面上に起立させ、
前記妻側胴差の下部に符合する第２の切欠を両端部上方に有する合せ梁を前記付加柱、前記妻側胴差し及び前記二階支持柱の上端部に係合させて架け渡して二階床の構造を構成することを特徴とする木造建物の構造。
【請求項２】
前記外箱内の空間において前記内箱が存在しない空間は吹き抜けとなっている請求項１記載の木造建物の構造。
【請求項３】
前記内箱の軸組は、
両端上部に逆Ｌ字状の第１の切欠部が形成され、前記第１の切欠部が前記妻側胴差の下端面に接して前記妻側胴差の下部に嵌め込まれる第１、第２の合せ梁を、これらの合せ梁の間に金属プレートを挟み込んで接合し、
さらに、二階床をこれらの合せ梁に直交する上下一対の挟み梁で挟み込んで構成される請求項１又は２記載の木造建物の構造。
【請求項４】
前記小屋トラス及び前記小屋組は、二等辺三角形をなす請求項１から３のいずれか記載の木造建物の構造。
【請求項５】
請求項１から４のいずれか記載の木造建物の構造を用いた木造家屋。
【発明の詳細な説明】
【技術分野】
【０００１】
本発明は、構造上、建物の内部に柱や壁等を設ける必要がなく大空間が得られ、しかもその空間を変更しやすい木造建物の構造及びその関連技術に関するものである。
【背景技術】
【０００２】
木造住宅等の木造建物の代表的工法として、木造軸組工法及びツーバイフォー工法が知られている。以下、本明細書において、木造家屋の垂直面のうち、棟木に直交する箇所を「妻」とし、「妻」側に直交する箇所を「平」側といい、関連する部材はこれに準拠して表現するものとする。
【０００３】
木造軸組工法は、我が国の伝統的な工法として広く知られ在来工法とも呼ばれる。木造軸組工法は、柱、床梁、小屋梁及び桁材等の軸組部材を構成する木材を建込み、筋交等の補強材や、壁材等を軸組部材に固定して木造建物を建設する工法である。
【０００４】
ツーバイフォー工法は、例えば、２インチ×４インチの木材断面を有する建築材（構造壁）を基本とした北米の伝統的工法であり、枠組壁工法とも呼ばれる。ツーバイフォー工法は、構造壁に合板等の面材を組合せた壁体を建込むことにより木造建物を建設する一種の壁式工法である。
【０００５】
上記軸組工法及びツーバイフォー工法を応用した軸組壁工法が、特許文献１（特開昭５５−３２８２７号公報）に開示されている。この軸組壁工法では、柱及び梁は夫々、フィラープレートを介して一体的に接合した一対の木質系角材からなる。
【０００６】
ガセットプレートが木質系角材の間に固定され、柱及び梁は、ガセットプレートを介して互いに接続される。梁に作用する荷重（固定荷重、積載荷重、地震荷重、風荷重等）は、ガセットプレートを介して柱に応力伝達する。つまり、仕口が鋼接合となっている。
【０００７】
さらに、特許文献２（特開２００７−８５０６１号公報）は、次のような木質系合成材からなる柱及び梁を接合した構造を開示する。
【０００８】
即ち、柱の合成材は、木製角材及び木製腹板をボルト・ナット組立体の締付けトルク下に一体的に連結され、梁の合成材は、木製角材及び木製斜材をボルト・ナット組立体の締付けトルク下に一体的に連結される。
【０００９】
そして、角材、腹材及び斜材は、同一の板厚を有し、梁の角材は、柱の中空領域に挿入され、ボルト・ナット組立体によって柱の角材に一体的に連結されるものである。
【特許文献１】特開昭５５−３２８２７号公報
【特許文献２】特開２００７−８５０６１号公報
【発明の開示】
【発明が解決しようとする課題】
【００１０】
しかしながら、従来技術では、次のような問題点がある。
【００１１】
第１の点として、室内に柱や構造壁が存在しない状態で、二階建て相当の大きな内部空間を形成することができない。
【００１２】
これは、木造軸組工法では、柱に構造が依存しており、ツーバイフォー工法では構造壁に構造が依存しているため、重要な柱や構造壁が内部空間内に必然的に現れてしまうためである。
【００１３】
第２の点として、改築時に、建物の外郭をなす部分に影響なく、建物の一階室内と二階の床を構成する部分の構成や配置を自由に変更することができない。
【００１４】
これは、木造軸組工法では重要な柱を改築時に除去したり移動することができず、ツーバイフォー工法では重要な構造壁を同様に除去したり移動することができないためである。言うまでもないが、これら重要な柱あるいは構造壁（以下、「柱等」という。）を除去等すると構造体が維持できず危険である。
【００１５】
さらに、特許文献１、２に記載の技術も、上記第１、第２の点に関しては、木造軸組工法やツーバイフォー工法と大差なく、これらの問題点を解決することはできない。
【００１６】
そこで本発明は、室内に柱や構造壁が存在しない状態で、二階建て相当の大きな内部空間を形成でき、かつ、改築時に、建物の外郭をなす部分に影響せずに、建物の一階室内と二階の床を構成する部分の構成や配置を変更できる、木造建物の構造を提供することを目的とする。
【課題を解決するための手段】
【００１７】
第１の発明に係る木造家屋の構造は、外箱の構造と、内箱の構造とを組み合わせてなる。
【００１８】
外箱の平側の軸組は、土台の角部でない位置において、土台の外側及び内側から土台を挟んで上面上に内外一対の柱を立て、内外一対の柱のうち、土台の外側の柱を通し柱で構成し、かつ、内外一対の柱のうち、土台の内側の柱をダボで継ぎ手した管柱で構成し、一階と二階との境界レベルにおいて水平な平側胴差を内外一対の柱に挟み込んで固定し、二階の天井レベルにおいて水平な軒桁を内外一対の柱に挟み込んで固定し、土台の角部において、内外一対の柱と同長の通し柱を外縁部に有すると共に通し柱に連結される筋交いを有する第１の耐力壁と、第１の耐力壁と同形の第２の耐力壁とで、土台、平側胴差及び軒桁のそれぞれの端部を挟むように固定して構成される。
【００１９】
外箱の妻側の軸組は、内外一対の柱とは異なる位置において、土台の外側上に妻側胴差に接合される付加柱を立てて構成される。
【００２０】
外箱の屋根の軸組は、内外一対の柱の頂部を挟む小屋トラスを軒桁上に固定し、小屋トラスと同形の小屋組を耐力壁の通し柱の端部上に固定して構成される。
【００２１】
内箱の軸組は、土台に符合する第１の切欠を下部に有し、かつ妻側胴差の下部まで至らない二階支持柱を付加柱に接合して上面上に起立させ、妻側胴差の下部に符合する第２の切欠を両端部上方に有する合せ梁を付加柱、妻側胴差し及び二階支持柱の上端部に係合させて架け渡して二階床の構造を構成する。
【００２２】
この構成において、外箱に配置される耐力壁により水平荷重に対して十分な強度を担保できるため、設計の自由度の向上し、設計の負担が軽減される。
【００２３】
より具体的には、本発明を理解する建築家のアドバイスと設計図書があれば、一般の工務店であっても、高い技術力・開発力を有するハウスメーカーの製品に対しても競争力ある木造家屋を構築できる。
【００２４】
また、小屋トラスを上述のように２本の柱で挟んで支える構造としたため、小屋トラスを下支えする柱等の部材を内箱内に設ける必要が無く、外箱内の広々とした開放感が得られる。
【００２５】
また、内箱の構成は、外箱にほとんど影響なく変更できるため、内箱内の一階部分及びその上の二階部分のレイアウトを従来技術よりも容易に変更できる。従来の木造家屋は間取り変更が困難なため、世代交代や持ち主の変更などを起因して間取り変更が必要となると取り壊されることが多かった。しかしながら、本発明によれば、間取りを変更しながら、長期間取り壊さずに木造家屋を使用し続けることができる。その結果、年を重ねるにつれ風合い・美観の移ろいを家人は楽しむことができる。
【００２６】
第２の発明に係る木造家屋の構造は、第１の発明に加え、外箱内の空間において内箱が存在しない空間は吹き抜けとなっている。
【００２７】
この構成により、内箱の外は広々とした開放感あふれる吹抜空間が得られ、内箱の中からもこの空間を見通せるので、快適性を向上できる。
【００２８】
第３の発明に係る木造家屋の構造は、第１の発明に加え、内箱の軸組は、両端上部に逆Ｌ字状の第１の切欠部が形成され、第１の切欠部が妻側胴差の下端面に接して妻側胴差の下部に嵌め込まれる第１、第２の合せ梁を、これらの合せ梁の間に金属プレートを挟み込んで接合し、さらに、二階床をこれらの合せ梁に直交する上下一対の挟み梁で挟み込んで構成される。
【００２９】
この構成において、二階床を支持する構造は、金属プレートを間に挟む強固な合せ梁と、これを挟む上下一対の挟み梁との結合体を有し、木造構造でありながら、二階床に振動が発生しても速やかに減衰させることができる。したがって、二階下に柱等を設ける必要がないし、例えば、５〜７ｍのようにスパンを広くとることができる。
【００３０】
第１の発明に係る木造家屋の構造は、第１の発明に加え、小屋トラス及び小屋組は、二等辺三角形をなす。
【００３１】
この構成により、三角の勾配屋根を葺くことができる。
【発明の効果】
【００３２】
本発明によれば、室内に柱等が存在しない二階建て相当の広々とした内部空間を形成できる。また、改築時に、内箱のみを変更することにより、建物の一階室内と二階床を構成する部分の構成や配置を変更できる。しかも、木造工法でありながら、強度が高く、振動を速やかに減衰でき、一階に柱で支持されない二階床が得られる。
【発明を実施するための最良の形態】
【００３３】
次に図面を参照しながら、本発明の実施の形態を説明する。図１は、本発明の一実施の形態に係る木造家屋の構造の外観斜視図である。
【００３４】
図１に示すように、この木造家屋は、外箱１０と、内箱２０とからなる。
【００３５】
外箱１０は、木造建物の外部空間と内部空間とを区画し、それ単独で自立する構造体である。
【００３６】
内箱２０は、外箱１０に依拠して外箱１０内に設けられる。内箱２０は、外箱１０の内部空間を、内箱２０内部の一階部分と内箱２０の上部と外箱１０により挟まれる二階部分とに区画する。内箱２０のみの内容を、外箱１０とは切り離して変更することができる。
【００３７】
図が複雑になりすぎるのを避けるため、図１では、主要な部材のみが示されている。
【００３８】
外箱１０の底部には、一階床１１が敷設される。一階床１１は、上方から見ると略矩形であり、外箱１０は、屋根と平行な平１２側と、平１２と直交する妻１３側とを有する。
【００３９】
外箱１０の平１２側四隅には、一階床１１から垂直に二階の上端部まで延びる二重の耐力壁１４、１５が配置される。
【００４０】
また、妻１３側の四隅には、二重の耐力壁１４、１５に直交する耐力壁１５ｂが配置される。耐力壁１５ｂも、一階床１１から垂直に二階の上端部まで延びる。
【００４１】
したがって、外箱１０に作用する水平荷重は、主としてこれらの耐力壁１４、１５、１５ｂにより支持される。
【００４２】
これにより、本発明による家屋を設計するには、難しいことを考えずとも、耐力壁１４、１５、１５ｂを配置するだけで十分な強度を担保できるから、柱や梁を従来技術よりも自由に配置することができ（自由度の向上）、設計者の労力を軽減できるし高い設計力を要しない（設計負担軽減）。より具体的には、本発明を理解する建築家のアドバイスと設計図書があれば、一般の工務店であっても、高い技術力・開発力を有するハウスメーカーの製品に対しても競争力ある木造家屋を構築できる。
【００４３】
外箱１０の妻１３側には、二重の耐力壁１４、１５の端部及び耐力壁１５ｂが存在するが、これらの上端部に小屋組１６の両端部を連結する。また、中間の位置には、小屋組１６と断面同形の小屋トラス１７を配置する。小屋トラス１７の支持構造については、後に詳述する。なお、小屋組１６は、その下方が外箱１０の構造体に連結されるため、必ずしも図１に示すようなトラス構造によらなくても良い。
【００４４】
このような構造を採用したので、外箱１０は、工場の建屋のように箱の境界面を除き、その内部には一切柱を立てなくても、十分な強度が得られる。典型的には、小屋トラス１７の途中（両端部を除く部分）を支持する柱は不要である。
【００４５】
言い換えれば、一階及び二階に柱等が存在しない広々とした空間となる。さらには、内装を工夫し、室内において柱等を一切見せない意匠とすることも可能である。
【００４６】
このような点は、ＲＣ工法や鉄骨工法などを使用すれば簡単に得られる利点であるが、例えば５ｍを超すスパンを従来の木造工法で得ることは極めて困難である。
【００４７】
外箱１０の構造が完成したら、矢印Ｎにより示されるように、外箱１０の内部に内箱２０の構造を作る。
【００４８】
なお、本例では、平１２側にやや内に入る玄関を設けることとしているため、内箱２０には玄関用オフセット２１が形成される。
【００４９】
しかしながら、これはあくまで例示に過ぎず、玄関を平１２と面一に構成しても良いし、さらには、外側に張り出すように作ることもでき、そのようにしても本発明に包含される。
【００５０】
図２は、本発明の一実施の形態における基礎を示す斜視図である。上述したように、外箱１０の水平断面が矩形であるために、基礎２２も同様に矩形となる。勿論、必要に応じて、矩形内にリブ状の付加部（図示せず）を追加的に形成しても良い。
【００５１】
平側１２には、平行な平辺２２ａ、２２ｂがあるが、玄関用オフセット２１にあわせて平辺２２ｂの中央部はオフセット部２２ｅとなっている。
【００５２】
妻側１３には、平行な妻辺２２ｃ、２２ｄがある。ここで、本例では、平辺２２ａ、２２ｂの方が、妻辺２２ｃ、２２ｄよりも短くなっているが、これは例示に過ぎず、長短関係を反対にしても良いし、同長としても良い。
【００５３】
同長とすれば、外箱の水平断面は正方形となり、同長としなければ、外箱の水平断面は長方形となる。いずれの場合であっても、本発明に包含される点は変わらない。
【００５４】
基礎２２としては、べた基礎であってもなくても良い。但し、同一レベルの平辺２２ａ、２２ｂ、妻辺２２ｃ、２２ｄを設けておく。
【００５５】
そして、基礎２２の平辺２２ａ、２２ｂ、妻辺２２ｃ、２２ｄの上面の中心線に沿って上面より幅が狭い土台２３を一巡するように配置する。
【００５６】
本例では、寸法の取り扱いを容易にするため、土台２３の幅を平辺２２ａ、２２ｂ、妻辺２２ｃ、２２ｄの上面の幅（いずれも同じ）の３分の１としている。
【００５７】
このため、平辺２２ａ、２２ｂ、妻辺２２ｃ、２２ｄの上面のうち、土台２３が配置されない箇所は、外部に露出する。特に、平辺２２ａ、２２ｂには、土台２３の内側の露出上面２２ｆと、土台２３の外側の露出上面２２ｇとが、それぞれあらわれることになる。
【００５８】
後に詳述するように、平１２側の軸組を構成するために、内側の露出上面２２ｆと外側の露出上面２２ｇとのそれぞれの上に、内外一対の柱を立てるのであるが、寸法の取り扱いを容易にするため、これらの柱の幅は、土台２３の幅と等しくしている。
【００５９】
しかしながら、これも例示に過ぎず、土台２３の幅を狭く、あるいは広くするなど、種々変更しても差し支えない。
【００６０】
次に、図３〜図５を参照しながら、平１２側における外箱１０の構造を説明する。
【００６１】
ここで、図３、図４は、本発明の一実施の形態における平側組立工程を示す斜視図、図５（ａ）は、本発明の一実施の形態における平側組立工程を示す立面図、図５（ｂ）は、図５（ａ）の一部上面図である。
【００６２】
図３に示すように、土台２３の角部（上述したように耐力壁１４、１５が配置される）でない位置において、土台２３を挟み、土台２３の外側の露出上面２２ｇ上に通し柱２４を立て、内側の露出上面２２ｆ上に管柱２５を立て、通し柱２４と管柱２５とを内外一対の柱とする。
【００６３】
ここで、施工を容易にするために、片方の柱（管柱２５）として、下側管柱２５ａと、上側管柱２５ｂと、これらの柱を接合するダボ２５ｃとからなる管柱２５を用いたが、管柱２５を通し柱とするなど、種々変更しても差し支えない。
【００６４】
なお、本例では、二等辺三角形をなす小屋トラス１７を用いているため、管柱２５の方が通し柱２４よりもやや長く、しかもこれらの柱２４、２５の先端部は、小屋トラス１７の傾斜にあわせて斜めにカットされている。
【００６５】
そして、次の二つの水平部材（平１２側に延びる）をこれらの柱２４、２５の間に挟み込んで固定する。
【００６６】
まず、一階と二階との境界レベルにおいて水平な平側胴差２６を内外一対の柱２４、２５の中央部に挟み込んでボルト及びナット２８で固定する。本例では、外側の柱２３は通し柱であり、内側の柱２５は中間をダボで継いだ管柱であり、これらの柱２４、２５で胴差２６を挟み込む。
【００６７】
また、二階の天井レベルにおいて水平な軒桁２７を内外一対の柱２４、２５の上部に挟み込んでボルト及びナット２８で固定する。
【００６８】
さらに、内外一対の柱２４、２５の上端部２４ａ、２５ｄを挟む小屋トラス１７を軒桁２７上にのせかけて安定的に固定する。
【００６９】
小屋トラス１７は、一対の三角形枠組みと、これらの枠組みの間に挟み込まれる、垂直材１７ｃと斜交材１７ｄとからなる。更に、各三角形枠組みは、陸梁１７ａと、逆Ｖ字状をなす登り梁１７ｂとを有する。
【００７０】
ここで、図１に示すように、小屋トラス１７の陸梁１７ａは、軸組工法にいう小屋梁の機能を有し、また、小屋組１６の陸梁１６ａは、軸組工法にいう妻梁の機能を有する。したがって、本例の木造家屋では、小屋トラス１７、小屋組１６の他に、特別な小屋梁、妻梁等を追加する必要はない。
【００７１】
図３に示すように、小屋トラス１７を固定する際には、各柱２４、２５の上端部２４ａ、２５ｄだけでなく、管柱２５よりも内側に台形状をなす接合材２９を挟み込んで、ボルト及びナット２８で一体化して連結するのが好ましい（図５（ａ）、（ｂ）も参照。）。但し、接合材２９は必須ではなく、省略することもできる。
【００７２】
一方、平１２側の角部では次のように外箱１０の構造を作る。即ち、図４に示すように、既に水平な平側胴差２６と軒桁２７が内外一対の柱２４、２５に挟み込まれて支持されている。
【００７３】
この角部において、平側胴差２６及び軒桁２７の両側を、一対の耐力壁１４、１５で挟み込む。耐力壁１４は、露出上面２２ｆ、２２ｇから軒桁２７よりも上まで至る垂直な通し柱３０と、通し柱３０と等長で間隔をあけて平行に立てられる管柱３１と通し柱３０と管柱３１との間に配置される筋交い３２と、外側から通し柱３０と管柱３１とに重ねて接合される補強板３３とを有する。耐力壁１５は、耐力壁１５と同形であるが、通し柱３０に対応するものが長柱３０’となっている点だけが相違する。
【００７４】
なお、図４では、部材の重なりにより関係が不明瞭にならないように、耐力壁１４、１５の補強板３３、３３は、ほぼ一階分の高さだけ示されているが、実際には、一階だけでなく二階まで達する高さとする。
【００７５】
このような構造としたため、水平力の大半を、一階と二階とを貫いて起立する一対の耐力壁１４、１５で支持し、基礎２２へ伝達できるようになっている。
【００７６】
平１２側については、以上のような構造となっており、次に妻１３側の構造を説明する。
【００７７】
図６は、本発明の一実施の形態における一階床伏図であり、図７は、本発明の一実施の形態における二階床伏図である。ここで、図６、図７には、外箱１０の要素と内箱２０の要素が混在している点に注意されたい。
【００７８】
なお、図６、図７において、散点を付した領域は、二階を構成する内箱２０の位置を示し、この領域には、二階の床が作られる。逆に言えば、散点が付されていない領域は、二階がなく吹抜Ａとなる。
【００７９】
図１を参照しながら上述したように、妻１３側の角部には、耐力壁１４、１５と同様の耐力壁１５ｂが配置され、妻側の水平力を支持する。
【００８０】
このほかに、土台２３の外側の露出上面２２ｇ上に垂直な複数の付加柱３６を立てる。複数の付加柱３６は、一階と二階との境界部分で妻側胴差３８（図８参照。）に接合され、さらに二階の上部（屋根付近）まで延びる。
【００８１】
図１０は、本発明の一実施の形態における木造家屋を平側の縦断面図である。図１０に示すように、小屋組１６の陸梁１６ａは、妻１２側の角部において耐力壁１４の通し柱３０の上端部に固定される。
【００８２】
以上のように構成することにより、外箱１０の構造が形成される。
【００８３】
次に、外箱１０の内側に形成される内箱２０の構造を説明する。ここで、図８は、本発明の一実施の形態における内箱の一部拡大斜視図であり、図９（ａ）は図８の一部拡大図、図９（ｂ）、（ｃ）は、本発明の一実施の形態における合せ梁の組立工程図である。
【００８４】
内箱２０は、図１０に示すように、外箱１０を支持する基礎２２と同一の基礎２２から一階と二階との境界部分までの高さまで形成される。よって、屋根、小屋組１６、小屋トラス１７等は外箱１０の要素であって、内箱２０の構造には直接関係しない。
【００８５】
上述したように、外箱１０の要素である複数の付加柱３６が既に起立している状態にあるが、複数の付加柱３６の室内側において基礎２２の妻辺２２ｄの上には、土台２３が設けられているのみであり、妻辺２２ｄ上の空間は空いている。
【００８６】
そこで、図８に示すように、二階支持柱４０を土台２３及び内側の露出上面２２ｆ上に立て、付加柱３６の側面に密着させる。
【００８７】
二階支持柱４０の下部には、土台２３に符合する第１の切欠４０ａが形成されており、第１の切欠４０ａが土台２３に接することにより、二階支持柱４０は、土台２３を跨いで基礎２２上に起立することになる。
【００８８】
また、二階支持柱４０の高さは比較的低く形成され、妻側胴差３８の下部まで至らない。つまり、妻側胴差３８の下面と二階支持柱４０の頂部との間には、隙間がある。
【００８９】
この隙間に合う合せ梁を図９（ｂ）〜（ｃ）のように形成して、隙間に装着する。即ち、第１の合せ梁４２と第２の合せ梁４３をほぼ同形に形成する。
【００９０】
より詳しくは、第１、第２の合せ梁４２、４３の下端面を二階支持柱４０の上端面に載せたとき、妻側胴差３８の下縁部を包囲するように、Ｌ字状の第２の切欠４２ａを、第１、第２の合せ梁４２、４３のいずれにも同様に形成する。
【００９１】
しかも、図９（ｂ）、（ｃ）に示すように、合せ梁４２、４３の一方（本例では第２の合せ梁４３）に凹部４３ａを形成し、凹部４３ａに金属プレート４４を挟み込み、これらの合せ梁４２、４３をボルト及びナット２８により、結合させる。
【００９２】
このような結合物を、上記隙間に挿入し、さらに、結合物の側面から止め柱４１を二階支持柱４０に向けて接合する。なお、止め柱４１は、二階支持柱４０と第１の合せ柱４２の先端部とをあわせた形状としてある。
【００９３】
金属プレート４４を挟んで第１、第２の合せ梁４２、４３を結合させてなる結合物（合成合せ梁）は、二階床のたわみや荷重に対する剛性が極めて高い。
【００９４】
さらに、合成合せ梁の上下を、直交するように、上下一対の挟み梁４５、４６で挟んで、二階床の構造体とする。
【００９５】
図７に示すように、このような構造体が二階の床全面を支持するように、格子状に配置されるから、本形態の構造によれば、二階で家人が歩くなどしても、不快な振動が長く続くことはなく極めて静粛で安心できる二階床を構築できる。
【００９６】
このような点は、ＲＣ工法や鉄骨工法などを使用すれば簡単に得られる利点であるが、従来の木造工法で得ることは極めて困難である。
【００９７】
なお、妻側胴差３８は外箱１０を構成するものであるが、施工手順としては、内箱２０と外箱１０とを峻別する必要はなく、二階支持柱４０等を立ててから妻側胴差３８を固定しても良いし、あるいはその逆の手順により構築することもできる。
【００９８】
図６に示すように、内箱２０の角部には、火打土台３７が斜めに設けられ、一層強度を向上させるようになっている。
【００９９】
また、図１０に示すように、以上のように構成される内箱２０の構造を利用し、二階床の下方には、一階天井板４７が貼られるが、一階天井板４７と合せ梁４２、４３の間の空間は、二階の設備（例えばトイレ等の水回り）用の配管スペースＳとして利用される。したがって、配管が露出せず、良好な美観を維持しながら、二階に十分な設備を設けることができる。
【０１００】
図１１は、本発明の一実施の形態における木造家屋の妻側の縦断面図である。図１１に示すように、二階床の端部には、二階床の構造体よりも幅が広い化粧梁４８を設け、二階の構造体を隠すと共に、強度を向上させるのが望ましい。
【０１０１】
以上のように、外箱１０及び内箱２０を構成すると、内箱２０がない吹抜Ａと二階床上の二階スペースＢを構成できる。
【０１０２】
さらに、レイアウトを変更しようとするならば、内箱２０を広げて吹抜Ａを小さくしたり、内箱２０を狭めて吹抜Ａを大きくすることができる。図示した例に加えて、付加柱３６及び合せ梁４２、４３を等ピッチで多数設けるようにすれば、このピッチ毎に自由にレイアウトを変更できる。
【０１０３】
次に、木造家屋の仕上げ例を説明する。勿論、この仕上げ例は単なる例示であって、本発明の保護範囲は、仕上げ例に限定されない。
【０１０４】
図１２は、本発明の一実施の形態における木造家屋の外観を示す斜視図である。この仕上げ例では、小屋組１６、小屋トラス１７に支持される屋根４９が葺かれており、一階、二階を貫通する通し窓５０が設けられるなど、印象的な外観が呈される。
【０１０５】
また、平１２側の南向き一階側面には、突出枠５１が設けられ、その中央部にサッシュ５２が配置されている。これにより、良好な日当たりが期待される。突出枠５１は、耐力壁１４、１５の外側に設けられており、外箱１０のさらに外側に所望の部分を追加できることを示す好例である。なお、図１２にしめすように、小屋トラス１７、１７は、水平トラス７０、７１によって外箱１０の構造体に連結されており、小屋トラス１７、１７の強度が高められている。
【０１０６】
図１３は、本発明の一実施の形態における木造家屋の一階レイアウト図、図１４は、本発明の一実施の形態における木造家屋の二階レイアウト図である。
【０１０７】
図１３に示すように、一階には、平１２の北向き側面にオフセットされた玄関５３、それに続くホール５４の他、浴室５５、洗面・脱衣室５６、トイレ５７、階段５８、台所５９、居間６０、洋室６１、和室６２等が配置される。
【０１０８】
図１４に示すように、二階には、二つの洋室６３、６４の他、トイレ６５等が配置される。トイレ６５に給排水する配管は、図１０に示した配管スペースＳ内に収納される。
【０１０９】
図１３、図１４において、居間６０及び台所５９は、二階まで貫通する広々とした吹抜Ａとなっており、突出枠５１による演出を含め、家人にはくつろぎとゆとりを与え、購入を検討している人には住んでみたいというあこがれを提供できる。さらに、熱や空気の流動を促進する作用もある。
【０１１０】
上述したように、内箱２０の構成を変更すれば、外箱１９にほとんど影響なく、内箱２０内の一階部分及びその上の二階部分のレイアウトを変更できる。
【０１１１】
図１５（ａ）〜（ｃ）は、本発明の他の実施の形態におけるトラスの例示図である。これまでの説明では、小屋組１６及び小屋トラス１７は、二等辺三角形としていたが、本発明は、他のトラス形状による場合を包含する。
【０１１２】
例えば、図１５（ａ）に示すように、平行弦トラスとすることができる。このようにすると、屋根は陸屋根となるから、屋根上のスペースをより有効（例えば、植物を置くなど）に活用できる。
【０１１３】
また、図１５（ｂ）に示すように、シザーズトラスとしてもよい。シザーズトラスの下端部７０は、登り梁ならば通し柱３０に連結し、挟み梁ならば内外一対の柱２４、２５に挟み込むように支持すればよい。
【０１１４】
さらに、図１６（ｃ）に示すように、片トラスとしてもよい。このようにすれば、大屋根の印象的な外観を呈することができる。
【０１１５】
なお、図１５（ａ）、（ｃ）のトラスとするときは、図１〜図１４までと同様に支持すれば足りる。
【０１１６】
いずれにしても、以上の形態は、ＲＣ工法や鉄骨工法によらず、ほぼ純粋な木造工法により実現できる点は、以上の説明から容易に理解されよう。しかも、従来の木造工法では、仕口や継手が複雑で手間がかかっていたが、本発明の工法によれば、仕口や継手が簡略化されて手間がかからないし、断面欠損も生じにくいという利点がある。
【図面の簡単な説明】
【０１１７】
【図１】本発明の一実施の形態に係る構造の外観斜視図
【図２】本発明の一実施の形態における基礎を示す斜視図
【図３】本発明の一実施の形態における平側組立工程を示す斜視図
【図４】本発明の一実施の形態における平側組立工程を示す斜視図
【図５】（ａ）本発明の一実施の形態における平側組立工程を示す立面図  （ｂ）図５（ａ）の一部上面図
【図６】本発明の一実施の形態における一階床伏図
【図７】本発明の一実施の形態における二階床伏図
【図８】本発明の一実施の形態における内箱の一部拡大斜視図
【図９】（ａ）図８の一部拡大図  （ｂ）本発明の一実施の形態における合せ梁の組立工程図  （ｃ）本発明の一実施の形態における合せ梁の組立工程図
【図１０】本発明の一実施の形態における木造家屋を平側の縦断面図
【図１１】本発明の一実施の形態における木造家屋の妻側の縦断面図
【図１２】本発明の一実施の形態における木造家屋の外観を示す斜視図
【図１３】本発明の一実施の形態における木造家屋の一階レイアウト図
【図１４】本発明の一実施の形態における木造家屋の二階レイアウト図
【図１５】（ａ）本発明の他の実施の形態におけるトラスの例示図  （ｂ）本発明の他の実施の形態におけるトラスの例示図  （ｃ）本発明の他の実施の形態におけるトラスの例示図
【符号の説明】
【０１１８】
１０  外箱
１１  一階床
１２  平
１３  妻
１４、１５、１５ｂ  耐力壁
１６  小屋組
１６ａ、１７ａ  陸梁
１７  小屋トラス
１７ｂ  登り梁
１７ｃ  垂直材
１７ｄ  斜交材
２０  内箱
２１  玄関用オフセット
２２  基礎
２２ａ、２２ｂ  平辺
２２ｃ、２２ｄ  妻辺
２２ｆ、２２ｇ  露出上面
２２ｅ  オフセット部
２３  土台
２４  通し柱
２５  管柱
２４ａ  下端部
２５ａ  下側管柱
２５ｂ  上側管柱
２５ｃ  ダボ
２５ｄ  上端部
２６  平側胴差
２７  軒桁
２８  ボルト及びナット
２９  接合材
３０  通し柱
３０’  長柱
３１  管柱
３２  筋交い
３３  補強板
３４  棟木
３６  付加柱
３７  火打土台
３８  妻側胴差
４０  二階支持柱
４０ａ  第１の切欠
４１  止め柱
４２  第１の合せ梁
４３  第２の合せ梁
４４  金属プレート
４５、４６  挟み梁
４７  一階天井板
４９  屋根
５１  突出枠
５２  サッシュ
５３  玄関
５４  ホール
５５  浴室
５６  洗面・脱衣室
５７、６５  トイレ
５８  階段
５９  台所
６０  居間
６１、６３、６４  洋室
６２  和室
７０、７１  水平トラス
Ａ  吹抜
Ｂ  二階スペース
Ｓ  配管スペース
【図１】
2015098680.tif 000003
【図２】
2015098680.tif 000004
【図３】
2015098680.tif 000005
【図５】
2015098680.tif 000006
【図８】
2015098680.tif 000007
【図９】
2015098680.tif 000008
【図１０】
2015098680.tif 000009
【図１３】
2015098680.tif 000010
【図１４】
2015098680.tif 000011
【図１５】
2015098680.tif 000012
【図４】
2015098680.tif 000013
【図６】
2015098680.tif 000014
【図７】
2015098680.tif 000015
【図１１】
2015098680.tif 000016
【図１２】
2015098680.tif 000017